(57)【要約】【課題】タイミング設計を困難にすることなく、且つ、消費電力を低減することができる音声信号処理装置を提供する。【解決手段】音声信号処理装置１は、音声入力信号及び所定のレベル信号が入力され、音量調整レベル、入力信号レベル、又は、音声モードに基づいて、音声入力信号又は所定のレベル信号のどちらか一方を選択し、出力する切換部と、切換部の出力信号に対して音声処理を施して音声出力信号を出力する音声処理部とを有する。【選択図】図１
2009094565.tif 000002
【特許請求の範囲】
【請求項１】
音声入力信号及び所定のレベル信号が入力され、音量調整レベル、入力信号レベル、又は、音声モードに基づいて、前記音声入力信号又は前記所定のレベル信号のどちらか一方を選択し、出力する切換部と、
前記切換部からの出力信号に対して音声処理を施して音声出力信号を出力する音声処理部と、
を有することを特徴とする音声信号処理装置。
【請求項２】
前記音声処理部は、復調回路を有し、
前記音声出力信号に対する前記音量調整レベルに基づいて前記音声入力信号又は前記所定のレベル信号のどちらか一方を選択し、前記音声処理部に出力する場合、
前記音声入力信号又は前記所定のレベル信号のどちらかの信号が、前記復調回路へ入力されることを特徴とする請求項１に記載の音声信号処理装置。
【請求項３】
前記音声処理部は、メイン音声信号抽出回路とサブ音声信号抽出回路とを有し、
前記音声入力信号の前記入力信号レベルに基づいて前記音声入力信号又は前記所定のレベル信号のどちらか一方を選択し、前記音声処理部に出力する場合、
復調された前記音声入力信号又は前記所定のレベル信号のどちらかの信号が、前記メイン音声信号抽出回路と前記サブ音声信号抽出回路とのそれぞれへ入力されることを特徴とする請求項１に記載の音声信号処理装置。
【請求項４】
前記音声処理部は、サブ音声信号抽出回路を有し、
前記音声入力信号の前記音声モードに基づいて前記音声入力信号又は前記所定のレベル信号のどちらか一方を選択し、前記音声処理部に出力する場合、
復調された前記音声入力信号又は前記所定のレベル信号のどちらかの信号が、前記サブ音声信号抽出回路へ入力されることを特徴とする請求項１に記載の音声信号処理装置。
【請求項５】
前記所定のレベル信号は、全ビット又は一部ビットが０又は１に固定された信号であることを特徴とする請求項１から請求項４の何れか１項に記載の音声信号処理装置。
【発明の詳細な説明】
【技術分野】
【０００１】
本発明は、音声信号処理装置に関し、特に、消費電力を低減する音声信号処理装置に関する。
【背景技術】
【０００２】
従来、テレビジョン、DVDレコーダ等において処理される音声信号には、メイン音声信号、サブ音声信号及び制御チャンネル信号が含まれている。この音声信号から、モノラルモード、ステレオモード又はバイリンガルモードに基づいて、L音声信号及びR音声信号を抽出して出力する音声信号処理装置が知られている。
【０００３】
一般に、音声信号処理装置は、変調された音声信号を復調する復調回路、メイン音声信号を抽出するメイン音声信号抽出回路、サブ音声信号を抽出するサブ音声信号抽出回路、制御チャンネル信号を抽出し、音声モードを判別する制御チャンネル信号抽出回路、制御チャンネル信号抽出部により判別された音声モードに基づいて、メイン音声信号及びサブ音声信号に所定の処理を行いL，R音声信号を出力するマトリックス回路等を有して構成されている。
【０００４】
ユーザからの指示等によりスピーカからの音声の出力を止める場合、音声信号を音声信号処理装置内においてミュートする手法として、これまではマトリックス回路から出力されるL，R音声信号を直接制御する手法が採られてきた（例えば、特許文献１参照）。
【０００５】
しかし、この手法の場合、ミュート設定されているにも係わらず音声信号処理装置には依然として変調信号が入力され続ける。音声信号処理装置に入力される変調信号は、例えばＦＭ変調信号の場合、キャリア成分の存在により変調前の原信号であるベースバンド信号の有無に係わらず常に大きく振幅している。一方、音声信号処理装置は、復調回路、フィルタ回路、マトリックス回路等のように、フリップフロップの使用率が高い回路を多く含んでおり、振幅の大きな信号が入力された場合、トグル動作による充放電電流及び貫通電流が発生し、電力消費が増大するという問題がある。
【０００６】
つまり、ミュート状態において変調信号を音声信号処理装置に入力し続けることは、信号処理を行っていないにも係わらず、無駄に電力を消費していることに他ならない。
【０００７】
上記デメリットに対応するために、これまでは音声ミュート時に回路へのクロック入力を停止させることにより、音声信号処理装置の消費電力を低減させる方法が提案されている（例えば、特許文献２参照）。しかし、この方法では、クロックを断続するための回路をクロック系統に挿入する必要がある。クロック系統に追加回路を挿入することは回路のタイミング設計を困難にする、LSIの動作マージンを小さくする等の問題がある。
【０００８】
また、映像だけを出力するモード、または音声だけを出力するモード選択時の無駄な消費電力を抑制する携帯デジタル放送受信装置が提案されている（例えば、特許文献３参照）。この提案によると、映像モードが選択されると音声デコード部の動作を停止させ、音声モードが選択されると映像デコード部の動作を停止させることにより、消費電力の低減が行われている。
【０００９】
しかしながら、この方法では、ユーザが、デジタル放送を視聴している時に音量を絞った場合でも、音声デコード部は動作し続けることになる。即ち、ユーザがデジタル放送を視聴している場合には、消費電力を低減することができないという問題がある。
【特許文献１】特開２００３−９２７１３号公報
【特許文献２】特開２００６−１９８７９４号公報
【特許文献３】特開２００５−２１８００６号公報
【発明の開示】
【発明が解決しようとする課題】
【００１０】
そこで、本発明は、タイミング設計を困難にすることなく、且つ、消費電力を低減することができる音声信号処理装置を提供することを目的とする。
【課題を解決するための手段】
【００１１】
本発明の一態様によれば、音声入力信号及び所定のレベル信号が入力され、音量調整レベル、入力信号レベル、又は、音声モードに基づいて、前記音声入力信号又は前記所定のレベル信号のどちらか一方を選択し、出力する切換部と、前記切換部からの出力信号に対して音声処理を施して音声出力信号を出力する音声処理部と、を有することを特徴とする音声信号処理装置を提供することができる。
【発明の効果】
【００１２】
本発明の音声信号処理装置によれば、タイミング設計を困難にすることなく、且つ、消費電力を低減することができる。
【発明を実施するための最良の形態】
【００１３】
以下、図面を参照して本発明の実施の形態を詳細に説明する。
【００１４】
（第１の実施の形態）
図１は、本発明の第１の実施の形態に係る音声信号処理装置の構成を示すブロック図である。本実施の形態の音声信号処理装置１は、切換回路１１と、FM復調を行う復調回路１２と、ローパスフィルタ（以下、LPFという）回路１３と、下位ビット固定回路１４と、切換回路１５と、ディエンファシス回路１６と、バンドパスフィルタ（以下、BPFという）回路１７と、FM復調を行う復調回路１８と、下位ビット固定回路１９と、切換回路２０と、ノイズ除去回路２１と、BPF回路２２と、AM復調を行う復調回路２３と、音声モード判別回路２４と、マトリックス回路２５と、マイクロコンピュータ（以下、マイコンという）２６と、クロック生成回路２７とを備えて構成されている。
【００１５】
また、音声信号処理装置１は、リモートコントローラ（以下、リモコンという）２８からの操作信号が受信可能となっている。リモコン２８は、音量等の設定を行うための各種キーを有し、ユーザが所定のキーを操作すると、そのキーの操作に対応した信号をマイコン２６に送信する。
【００１６】
本実施の形態の音声信号処理装置１は、アナログ信号である音声入力信号をデジタル信号処理する回路である。
【００１７】
切換回路１１には、音声信号と所定のレベル信号とが入力される。所定のレベル信号は、本実施の形態では、０又は１に固定された固定値信号である。切換回路１１は、後述するマイコン２６からの制御信号に基づいて、音声信号又は固定値信号のどちらか一方を選択し、復調回路１２に出力する。
【００１８】
ここで、固定値信号が選択された場合、後段の各回路には固定値が入力されることにより、トグル動作、即ち、トランジスタの信号レベルがHighとLowと交互に変化する動作が抑制される。この結果、トグル動作による充放電電流及び貫通電流が抑制され、消費電力が削減される。
【００１９】
復調回路１２は、入力された音声信号を復調し、復調した音声信号をLPF１３、BPF１７及びBPF２２に出力する。
【００２０】
LPF１３は、復調された音声信号からメイン音声信号を抽出し、抽出したメイン音声信号を下位ビット固定回路１４及び切換回路１５に出力する。下位ビット固定回路１４は、入力されたメイン音声信号の所定のレベル信号、ここでは、所定の下位ビットを０に固定し、所定の下位ビットを０に固定したメイン音声信号を切換回路１５に出力する。
【００２１】
切換回路１５は、後述するマイコン２６からの制御信号に基づいて、メイン音声信号又は所定の下位ビットが０に固定されたメイン音声信号のどちらか一方を選択し、ディエンファシス回路１６に出力する。ディエンファシス回路１６は、入力されたメイン音声信号又は所定の下位ビットが０に固定されたメイン音声信号に対しディエンファシスを行い、マトリックス回路２５及びマイコン２６に出力する。
【００２２】
復調回路１２、LPF１３及びディエンファシス回路１６により、メイン音声信号を抽出するメイン音声信号抽出回路が構成される。
【００２３】
BPF１７は、入力された音声信号からサブ音声信号を抽出し、抽出したサブ音声信号を復調回路１８に出力する。復調回路１８は、入力されたサブ音声信号を復調し、復調したサブ音声信号を下位ビット固定回路１９及び切換回路２０に出力する。下位ビット固定回路１９は、入力されたサブ音声信号の所定のレベル信号、ここでは、所定の下位ビットを０に固定し、所定の下位ビットを０に固定したサブ音声信号を切換回路２０に出力する。
【００２４】
切換回路２０は、後述するマイコン２６からの制御信号に基づいて、サブ音声信号又は所定の下位ビットが０に固定されたサブ音声信号のどちらか一方を選択し、ノイズ除去回路２１に出力する。ノイズ除去回路２１は、入力されたサブ音声信号又は所定の下位ビットが０に固定されたサブ音声信号に対しノイズの除去を行い、マトリックス回路２５及びマイコン２６に出力する。
【００２５】
BPF１７、復調回路１８及びノイズ除去回路２１により、サブ音声信号を抽出するサブ音声信号抽出回路が構成される。
【００２６】
BPF２２は、入力された音声信号からモノラルモード、ステレオモード又はバイリンガルモードを示す制御チャンネル信号を抽出し、抽出した制御チャンネル信号を復調回路２３に出力する。復調回路２３は、入力された制御チャンネル信号を復調し、復調した制御チャンネル信号を音声モード判別回路２４に出力する。音声モード判別回路２４は、入力された制御チャンネル信号から音声モードを判別し、判別した音声モードに基づいて音声モード信号をマトリックス回路２５に出力する。
【００２７】
マトリックス回路２５には、上述したように、メイン音声信号、サブ音声信号及び音声モード信号が入力される。マトリックス回路２５は、音声モード信号に基づいて、メイン音声信号及びサブ音声信号に所定の処理を施し、L音声信号及びR音声信号である音声出力信号を出力する。
【００２８】
メイン音声信号抽出回路、サブ音声信号抽出回路、BPF２２、復調回路２３、音声モード判別回路２４及びマトリックス回路２５により、音声出力信号を出力する音声処理部が構成される。この音声処理部は、入力信号に対して音声処理を施して音声出力信号を出力する。
【００２９】
マイコン２６には、上述したように、メイン音声信号及びサブ音声信号が入力されると共に、リモコン２８からのキー操作に対応した信号が送信される。マイコン２６は、ユーザが、リモコン２８を操作し、ミュート又は音声の有無が聴覚的に検知できない程度まで十分小さく設定した場合、即ち、音声出力信号に対する音量調整レベルを所定の値以下に設定した場合、固定値信号を選択するための制御信号を切換回路１１に出力する。
【００３０】
また、マイコン２６は、入力されるメイン音声信号の振幅を常時モニタし、振幅、即ち、音声入力信号の入力信号レベルが所定値より大きい場合には、LPF１３の出力を選択し、振幅、即ち、音声入力信号の入力信号レベルが所定値より小さい場合には、下位ビット固定回路１４の出力を選択するための制御信号を切換回路１５に出力する。振幅が所定値より小さい場合とは、例えば、音声信号が、無音状態又は音声の有無が聴覚的に検知できない程度まで十分小さくなった場合である。
【００３１】
同様に、マイコン２６は、入力されるサブ音声信号の振幅を常時モニタし、振幅が所定値より大きい場合には、復調回路１８の出力を選択し、振幅が所定値より小さい場合には、下位ビット固定回路１９の出力を選択するための制御信号を切換回路２０に出力する。
【００３２】
クロック生成回路２７は、音声信号の処理に必要なクロックを生成し、上述した各回路に出力する。
【００３３】
次に、このように構成された実施の形態の動作について説明する。  
まず、切換回路１１には、音声信号及び固定値信号が入力される。切換回路１１では、マイコン２６からの制御信号に基づいて、音声信号又は固定値信号のどちらか一方の信号が選択され復調回路１２に出力される。
【００３４】
ユーザが、リモコン２８を操作し、ミュート又は音声の有無が聴覚的に検知できない所定の値以下、即ち、音量調整レベルを所定の値以下に設定すると、固定値信号を選択するための制御信号がマイコン２６から出力される。この結果、後段の各回路には固定値信号が入力され、消費電力が低減される。一方、所定の値以上の場合には、音声信号が選択される。
【００３５】
切換回路１１により選択された音声信号は、復調され、LPF回路１３、BPF回路１７及びBPF回路２２に入力される。LPF１３に入力された音声信号は、メイン音声信号が抽出され、下位ビット固定回路１４及び切換回路１５に入力される。
【００３６】
下位ビット固定回路１４に入力されたメイン音声信号は、下位ビットが０又は１に固定され切換回路１５に出力される。切換回路１５では、マイコン２６からの制御信号に基づいて、メイン音声信号又は下位ビットが固定されたメイン音声信号のどちらか一方の信号が選択されディエンファシス回路１６に出力される。
【００３７】
切換回路１５により選択された信号は、ディエンファシスが施され、マトリックス回路２５及びマイコン２６に出力される。マイコン２６では、メイン音声信号の振幅が所定値以上か否かが検出され、検出結果に基づいた制御信号が切換回路１５に出力される。
【００３８】
BPF１７に入力された音声信号は、サブ音声信号が抽出され、復調処理が施された後、下位ビット固定回路１９及び切換回路２０に入力される。
【００３９】
下位ビット固定回路１９に入力されたサブ音声信号は、下位ビットが０又は１に固定され切換回路２０に出力される。切換回路２０では、マイコン２６からの制御信号に基づいて、サブ音声信号又は下位ビットが固定されたサブ音声信号のどちらか一方の信号が選択されノイズ除去回路２１に出力される。
【００４０】
切換回路２０により選択された信号は、ノイズの除去が施され、マトリックス回路２５及びマイコン２６に出力される。マイコン２６では、サブ音声信号の振幅が所定値以上か否かが検出され、検出結果に基づいた制御信号が切換回路２０に出力される。
【００４１】
BPF２２に入力された音声信号は、制御チャンネル信号が抽出され、復調処理が施された後、音声モード判別回路２４に入力される。音声モード判別回路２４では、モノラルモード、ステレオモード又はバイリンガルモードの何れの音声モードかを判別し、対応する音声モード信号がマトリックス回路２５に出力される。
【００４２】
マトリックス回路２５では、音声モード信号に基づいて、メイン音声信号及びサブ音声信号に所定の処理が施され、L音声信号及びR音声信号が出力される。
【００４３】
ここで、ユーザにより音量の設定が変更された場合について説明する。図２は、ユーザにより音量の設定が変更された場合の処理の流れを示すフローチャートである。
【００４４】
まず、ユーザが、リモコン２８を用いて音量の設定を行うための所定のキー操作を行うと、マイコン２６は、音量調整レベルが所定の値以下に設定されたか否かを検出する（ステップＳ１）。音量調整レベルが所定の値以下に設定された場合、YESとなり、マイコン２６は、０又は１の固定値信号を選択するための制御信号を切換回路１１に出力し（ステップＳ２）、処理を終了する。音量調整レベルが所定の値以下に設定されていない場合、NOとなり、マイコン２６は、音声信号を選択するための制御信号を切換回路１１に出力し（ステップＳ３）、処理を終了する。
【００４５】
以上の処理の結果、ユーザにより音量調整レベルが所定の値以下に設定された場合、マイコン２６は、０又は１の固定値信号を選択するための制御信号を切換回路１１に出力する。これにより、切換回路１１は、マイコン２６からの制御信号に基づいて、固定値信号を選択し、復調回路１２に出力する。この結果、切換回路１１より後段の各回路には固定値信号が入力されることになり、トグル動作による充放電電流及び貫通電流が抑制され、消費電力が低減される。
【００４６】
図３は、音声信号の振幅をチェックして音声信号の下位ビットを固定する処理の流れの例を示すフローチャートである。
【００４７】
まず、マイコン２６は、ディエンファシス回路１６から入力されるメイン音声信号の振幅をチェックする（ステップＳ１１）。次に、マイコン２６は、メイン音声信号の振幅が所定値以上か否かを検出する（ステップＳ１２）。振幅が所定値以下の場合、NOとなり、マイコン２６は、メイン音声信号の下位ビットを固定しているか否かを検出する（ステップＳ１３）。下位ビットが固定されていない場合、NOとなり、マイコン２６は、メイン音声信号の下位ビットが０又は１に固定された音声信号を選択するための制御信号を切換回路１５に出力する（ステップＳ１４）。下位ビットが固定されている場合、YESとなり、ステップＳ１７に進む。
【００４８】
また、ステップＳ１２において、振幅が所定値以上の場合、YESとなり、マイコン２６は、メイン音声信号の下位ビットを固定しているか否かを検出する（ステップＳ１５）。下位ビットが固定されている場合、YESとなり、マイコン２６は、メイン音声信号の下位ビットの固定を解除、即ち、下位ビットが固定されていない音声信号を選択するための制御信号を切換回路１５に出力する（ステップＳ１６）。下位ビットが固定されていない場合、NOとなり、ステップＳ１７に進む。
【００４９】
次に、マイコン２６は、ノイズ除去回路２１から入力されるサブ音声信号の振幅をチェックする（ステップＳ１７）。次に、マイコン２６は、サブ音声信号の振幅が所定値以上か否かを検出する（ステップＳ１８）。振幅が所定値以下の場合、NOとなり、マイコン２６は、サブ音声信号の下位ビットを固定しているか否かを検出する（ステップＳ１９）。下位ビットが固定されていない場合、NOとなり、マイコン２６は、サブ音声信号の下位ビットが０又は１に固定された音声信号を選択するための制御信号を切換回路２０に出力する（ステップＳ２０）。下位ビットが固定されている場合、YESとなり、処理を終了する。
【００５０】
また、ステップＳ１８において、振幅が所定値以上の場合、YESとなり、マイコン２６は、サブ音声信号の下位ビットを固定しているか否かを検出する（ステップＳ２１）。下位ビットが固定されている場合、YESとなり、マイコン２６は、サブ音声信号の下位ビットの固定を解除、即ち、下位ビットが固定されていない音声信号を選択するための制御信号を切換回路２０に出力する（ステップＳ２２）。下位ビットが固定されていない場合、NOとなり、処理を終了する。
【００５１】
メイン音声信号及びサブ音声信号のどちらかにおいて音声信号の振幅が大きくなった場合、音声信号のうち上位ビットの情報は後段へ送られるため、マイコン２６は、この変化を瞬時に検知でき、下位ビットの固定を適宜解除することが可能である。つまり、音声レベルの強度に応じてビットの固定、非固定をリアルタイムに変更することができるようになっている。
【００５２】
以上の処理の結果、メイン音声信号及びサブ音声信号のそれぞれについて、音声信号の振幅が所定値以下、即ち、音声レベルが所定値以下なった場合、メイン音声信号及びサブ音声信号の所定の下位ビットを０又は１に固定するようにした。この結果、切換回路１５及び切換回路２０より後段の各回路には下位ビットが固定された音声信号が入力されることになり、トグル動作による充放電電流及び貫通電流が抑制されることにより消費電力の低減を実現することができる。
【００５３】
また、従来では、クロック経路に追加回路を挿入し、クロックを制御することにより消費電力の低減を行っていたが、本実施の形態では、クロック経路に対して回路を挿入する必要がなく、従来に比べてタイミング設計が困難になることを防ぐことができる。
【００５４】
よって、本実施の形態の音声信号処理装置によれば、タイミング設計を困難にすることなく、且つ、消費電力を低減することができる。
【００５５】
（第２の実施の形態）
次に、第２の実施の形態について説明する。第２に実施の形態の音声信号処理装置は、モノラルモードの音声信号が入力された場合に、使用しないサブ音声信号を抽出する各回路に固定値信号を入力することにより、トグル動作による充放電電流及び貫通電流が抑制され、消費電力を低減する。
【００５６】
図４は、第２の実施の形態に係る音声信号処理装置の構成を示すブロック図である。図４において図１と同一の構成要素には同一符号を付して説明を省略する。
【００５７】
本実施の形態の音声信号処理装置１ａは、図１の音声信号処理装置１に対し、全ビット固定回路３１及び切換回路３２が追加されると共に、音声モード判別回路２４に代わり音声モード判別回路２４ａを用い、マイコン２６に代わりマイコン２６ａを用いて構成されている。
【００５８】
復調回路１２により復調された音声信号は、全ビット固定回路３１及び切換回路３２に入力される。全ビット固定回路３１は、入力された音声信号を所定のレベル信号、ここでは、全ビット０又は１に固定して、全ビット０又は１に固定した固定値信号を切換回路３２に出力する。なお、全ビット固定回路３１を用いないで、所定のレベル信号、ここでは、０又は１に固定した固定値信号を切換回路３２に入力するようにしてもよい。
【００５９】
切換回路３２は、後述するマイコン２６ａからの制御信号に基づいて、復調回路１２からの音声信号又は全ビット固定回路３１により全ビット固定されて信号のどちらか一方を選択し、BPF１７に出力する。
【００６０】
復調回路２３により復調された制御チャンネル信号は、音声モード判別回路２４ａに出力される。音声モード判別回路２４ａは、入力された制御チャンネル信号から音声入力信号の音声モードを判別し、判別した音声モードに基づいて音声モード信号をマトリックス回路２５及びマイコン２６ａに出力する。
【００６１】
マイコン２６ａは、入力される音声モード信号がモノラルモードか否かを検出し、モノラルモード場合、全ビット固定回路３１の出力を選択させ、モノラルモードではない場合、復調回路１２の出力を選択させるための制御信号を切換回路３２に出力する。
【００６２】
即ち、音声モードがモノラルモードの場合には、使用しないサブ音声信号を検出する各回路に固定値信号が入力される。この結果、使用しないサブ音声信号を検出する各回路のトグル動作による充放電電流及び貫通電流が抑制されることにより消費電力の低減を実現できる。
【００６３】
ここで、音声モードがモノラルモードの場合について説明する。図５は、音声モードがモノラルモードの場合の処理の流れの例を示すフローチャートである。
【００６４】
まず、マイコン２６ａは、音声モード判別回路２４ａからの音声モード信号を受信し、音声モードがモノラルモードか否かを検出する（ステップＳ３１）。音声モードがモノラルモードの場合、YESとなり、マイコン２６ａは、全ビット固定回路３１により全ビット０又は１に固定された固定値信号を選択するための制御信号を切換回路３２に出力し（ステップＳ３２）、処理を終了する。音声モードがモノラルモードではない場合、NOとなり、マイコン２６ａは、復調回路１２からの音声信号を選択するための制御信号を切換回路３２に出力し（ステップＳ３３）、処理を終了する。
【００６５】
以上の処理の結果、モノラルの音声信号が入力された場合、サブ音声信号を検出する各回路に固定値信号が入力されるようにした。この結果、音声モードがモノラルモードの場合には、使用しないサブ音声信号を検出する各回路に固定値信号が入力されるようになり、トグル動作による充放電電流及び貫通電流が抑制され、消費電力の低減を実現できる。
【００６６】
よって、本実施の形態の音声信号処理装置によれば、第１の実施の形態と同様に、タイミング設計を困難にすることなく、且つ、消費電力を低減することができる。
【００６７】
なお、本明細書における各フローチャート中の各ステップは、その性質に反しない限り、実行順序を変更し、複数同時に実行し、あるいは実行毎に異なった順序で実行してもよい。
【００６８】
本発明は、上述した実施の形態に限定されるものではなく、本発明の要旨を変えない範囲において、種々の変更、改変等が可能である。
【図面の簡単な説明】
【００６９】
【図１】第１の実施の形態に係る音声信号処理装置の構成を示すブロック図である。
【図２】ユーザにより音量の設定が変更された場合の処理の流れを示すフローチャートである。
【図３】音声信号の振幅をチェックして音声信号の下位ビットを固定する処理の流れの例を示すフローチャートである。
【図４】第２の実施の形態に係る音声信号処理装置の構成を示すブロック図である。
【図５】音声モードがモノラルモードの場合の処理の流れの例を示すフローチャートである。
【符号の説明】
【００７０】
１，１ａ  音声信号処理装置、１１  切換回路、１２  復調回路、１３  LPF回路、１４  下位ビット固定回路、１５  切換回路、１６  ディエンファシス回路、１７  BPF回路、１８  復調回路、１９  下位ビット固定回路、２０  切換回路、２１  ノイズ除去回路、２２  BPF回路、２３  復調回路、２４，２４ａ  音声モード判別回路、２５  マトリックス回路、２６，２６ａ  マイコン、２７  クロック生成回路、２８  リモコン、３１  全ビット固定回路、３２  切換回路
【図１】
2009094565.tif 000003
【図２】
2009094565.tif 000004
【図３】
2009094565.tif 000005
【図４】
2009094565.tif 000006
【図５】
2009094565.tif 000007